(57)【要約】【課題】比較的簡易な構成でありながら、軸受の取外しが容易に行える治具を提供する。【解決手段】軸に外嵌される内輪と、前記内輪と径方向に対向する外輪と、前記内輪の外周面に形成された内輪軌道面と、前記内輪軌道面に隣接して設けられる大鍔及び小鍔と、前記外輪の内周面に形成された外輪軌道面との間に、転動自在に配列された複数の転動体とを有する転がり軸受は、前記大鍔の外周面にねじ溝が設けられ、前記治具のねじ溝を前記大鍔に設けられたねじ溝に螺着させ、前記治具に荷重を付加することで前記軸受を前記軸から容易に引抜くことができる。【選択図】図１
2016048104.tif 000002
【特許請求の範囲】
【請求項１】
一端が開放され、他端が密閉壁によって閉鎖された円筒状ホルダーと、前記ホル密閉壁に支持されるとともに、前記ホルダー外より前記密閉壁を貫通し円筒内に突出するハンドルとを備えた軸受引抜き用治具において、前記ホルダーの開放側の一端の内周面にねじ溝が形成されたことを特徴とする軸受引抜き用治具。
【請求項２】
軸に外嵌される内輪と、前記内輪と径方向に対向する外輪と、前記内輪の外周面に形成された内輪軌道面と、前記内輪軌道面に隣接して設けられる大鍔及び小鍔と、前記外輪の内周面に形成された外輪軌道面との間に、転動自在に配列された複数の転動体とを有する転がり軸受は、前記大鍔の外周面にねじ溝が設けられ、前記治具のねじ溝を前記大鍔に設けられたねじ溝に螺着させ、前記治具に荷重を付加することで前記軸受を前記軸から引抜くことを特徴とする軸受引抜き方法。
【発明の詳細な説明】
【技術分野】
【０００１】
本発明は、転がり軸受に関する。
【背景技術】
【０００２】
従来から、軸に外嵌された軸受を、軸から引抜く方法としては、油圧を用いる方法が広く知られている（例えば、特許文献１参照）。特許文献１の転がり軸受は、内輪の軸方向側面側及び内周面側の双方に設けられる開口部にわたって連通して設けられる油孔と、内周面側の開口部と連続して径方向内側に向かう油溝と、を備える。そして、油孔及び油溝を介して高圧油が内輪と軸との嵌め合い面に送り込まれ、嵌め合い面に流体油膜が形成される。これにより、嵌め合い面の摩擦を低下させ、軸受の引抜き作業を容易化している。
【先行技術文献】
【特許文献】
【０００３】
【特許文献１】特開平１０−３３９３２５号公報
【発明の概要】
【発明が解決しようとする課題】
【０００４】
しかしながら、特許文献１の転がり軸受の引き抜き作業では、油圧機構を設ける必要があり、構成の複雑化、高コスト化を回避できない。また、油圧が内輪と軸との嵌め合い面に均等にかからず、内輪と軸に傾きが発生し、軸受の取外しが困難となる問題があった。
【０００５】
本発明は、前述した課題に鑑みてなされたものであり、比較的簡易な構成でありながら、軸受の取外しが容易に行えることを目的とする。
【課題を解決するための手段】
【０００６】
本発明は、一端が開放され、他端が密閉壁によって閉鎖された円筒状ホルダーと、前記ホル密閉壁に支持されるとともに、前記ホルダー外より前記密閉壁を貫通し円筒内に突出するハンドルとを備えた軸受引抜き用治具において、前記ホルダーの開放側の一端の内周面にねじ溝が形成されたことを特徴とする。
【０００７】
また、軸に外嵌される内輪と、前記内輪と径方向に対向する外輪と、前記内輪の外周面に形成された内輪軌道面と、前記内輪軌道面に隣接して設けられる大鍔及び小鍔と、前記外輪の内周面に形成された外輪軌道面との間に、転動自在に配列された複数の転動体とを有する転がり軸受は、前記大鍔の外周面にねじ溝が設けられ、前記治具のねじ溝を前記大鍔に設けられたねじ溝に螺着させ、前記治具に荷重を付加することで前記軸受を前記軸から引抜くことを特徴とする。
【発明の効果】
【０００８】
上記に記載の特徴によれば、軸受引抜き用治具を軸受に螺着させて引抜くことで、治具に対して引抜く方向（軸受軸方向）に荷重を付加することにより、軸受（内輪）に均等な引張力が負荷され、軸受を容易に引抜くことが可能である。すなわち、特許文献１のように油圧機構を設ける必要がなく、比較的簡易な構成でありながら、軸受引抜きが実現可能である。
【図面の簡単な説明】
【０００９】
【図１】本実施形態に係る転がり軸受が軸に外嵌された状態を示す断面図である。
【図２】転がり軸受を引抜く治具を示す断面図である。
【発明を実施するための形態】
【００１０】
以下、本発明の各実施形態に係る転がり軸受について、図面に基づいて詳細に説明する。図１に示すように、転がり軸受１は、軸５に外嵌される内輪１０と、内輪１０と径方向に対向するように配置された外輪２０と、内輪１０の外周面に形成された内輪軌道面１１と外輪２０の内周面に形成された外輪軌道面２１との間に転動自在に配列された複数の転動体としての円錐ころ３０と、を有する円錐ころ軸受である。
【００１１】
外輪２０の内周面は、軸方向一端側（図１中、左右方向左側）から軸方向他端側（図１中、左右方向右側）に向かって傾斜して形成されている。
【００１２】
内輪１０の内輪軌道面１１は、軸方向一端側から軸方向他端側に向かうに従って傾斜するように形成されている。そして、内輪１０の外周面には、内輪軌道面１１の軸方向一端側及び軸方向他端側にそれぞれ小鍔１２及び大鍔１３が形成されており、これら小鍔１２及び大鍔１３は円錐ころ３０の軸方向の移動を規制している。また、大鍔１３の外周面にはねじ溝１３ａが設けられている。
【００１３】
一方、軸受引抜き用の治具４０は、一端が開放され、他端が密閉壁４１ａによって閉鎖された円筒状ホルダー４１と、前記ホルダー４１の密閉壁４１ａに支持され、前記ホルダー外より前記密閉壁４１ａを貫通し円筒内に突出する凸部４２ａを備えたハンドル４２とを備えている。また、前記ホルダーの開放側の一端の内周面にねじ溝４１ｂが形成されている。
【００１４】
このように構成された転がり軸受１を、軸５から引抜くためには、例えば、図４に示すような取付けとなる。すなわち、軸受引抜き用治具のねじ溝を前記大鍔に設けられたねじ溝に前記凸部が軸に当接するまで螺着させる。次いで、ホルダー外に突出しているハンドルを軸方向に加重することで軸受が軸から容易に抜き取ることが出来る。
【００１５】
このように、本実施形態の軸受引抜き用治具によれば、軸受に均等に荷重を付加することができるので、比較的簡易な構成で容易に軸受引抜き作業を行うことが出来る。
【００１６】
なお、本発明は、前述した各実施形態に限定されるものではなく、適宜、変形、改良等が可能である。
【００１７】
例えば、ハンドルの外周面にねじ溝を設けてホルダーに支持させ、ハンドル回転によるハンドルの凸部の繰り出し量を連続的に増加させて転がり軸受１を軸５から引抜く構成にしても良い。
【００１８】
また、治具が螺着するねじ溝を本実施形態では大鍔に設けたが、小鍔や内輪内径部に設けても良い。
【００１９】
また、本発明が適用される転がり軸受としては、円錐ころ軸受に限定されず、玉軸受や円筒ころ軸受等、何れの軸受であってもよい。
【符号の説明】
【００２０】
１      転がり軸受
５      軸
１０    内輪
１１    内輪軌道面
１２    小鍔
１３    大鍔
２０    外輪
２１    外輪軌道面
３０    円錐ころ（転動体）
４０    治具
４１    ホルダー
４１ａ  密閉壁
４１ｂ  ねじ溝
４２    ハンドル
４２ａ  凸部
【図１】
2016048104.tif 000003
【図２】
2016048104.tif 000004